(57)【要約】【課題】  図面１６をカバー４を開けることなく容易に取り出しまたは収納することができる住宅用分電盤を提供すること。【解決手段】  本発明に係る住宅用分電盤は、カバー４には、分岐ブレーカの負荷名称を表示するための陥没部を設けると共に、陥没部の端部には取り付け孔を設け、分岐ブレーカの負荷名称を記入した負荷名称記入紙１１は、陥没部に設けられた取り付け孔に取り付け可能な脚部９を有する図面収納用カバー８に載置し、負荷名称保持カバー１２で被覆し、図面１６を陥没部に載置し、図面収納用カバー８の脚部９を取り付け孔に取り付けることを特徴とする。【選択図】        図４
2006050899.tif 000002
【特許請求の範囲】
【請求項１】
基台に主幹ブレーカと複数の分岐ブレーカを載置し、前記基台をカバーで被覆して成る住宅用分電盤において、前記カバーには、前記分岐ブレーカの負荷名称を表示するための陥没部を設けると共に、該陥没部の端部には取り付け孔を設け、前記分岐ブレーカの負荷名称を記入した負荷名称記入紙は、前記陥没部に設けられた前記取り付け孔に取り付け可能な脚部を有する図面収納用カバーに載置し、負荷名称保持カバーで被覆し、図面を前記陥没部に載置し、前記図面収納用カバーの前記脚部を前記取り付け孔に取り付けることを特徴とする住宅用分電盤。
【発明の詳細な説明】
【技術分野】
【０００１】
本発明は、負荷名称表示と図面収納の構造を一体成形した図面収納用カバーを有する住宅用分電盤に関する。
【背景技術】
【０００２】
従来、住宅用分電盤は、図５に示すように、主幹ブレーカ４１と複数の分岐ブレーカ４２を載置した基台４３に、図面４４は適当な大きさに折りたたんで、機器の隙間に収納していた。
【０００３】
また、扉付きの住宅用分電盤の場合は、図６に示すように、従来図面ケース５１を別部品で成形し、扉５２の裏面に粘着テープ等で取り付け、図面５３は、図面ケース５１に収納していた。
【非特許文献１】２００５  カワムラ  総合カタログ  電設資材編  平成１７年５月１日発行
【発明の開示】
【発明が解決しようとする課題】
【０００４】
しかしながら、図５に示す従来技術によれば、活線の状態で図面４４を収納、または取り出す場合、配線に触れ感電してしまう虞があった。
【０００５】
また、図６に示す扉付きの住宅用分電盤では、扉５２の裏面に図面ケース５１を取り付けるためのスペースを確保しなければならなかった。また、図面５２が図面ケース５１からはみだしたりすると、ブレーカのハンドルに図面５３が触れて、誤操作してしまう虞があった。
【課題を解決するための手段】
【０００６】
上記従来の問題点に鑑み、本発明は、図面をカバーを開けることなく容易に取り出しまたは収納することができる住宅用分電盤を提供することを目的とし、その構造は、カバーには、分岐ブレーカの負荷名称を表示するための陥没部を設けると共に、陥没部の端部には取り付け孔を設け、分岐ブレーカの負荷名称を記入した負荷名称記入紙は、陥没部に設けられた取り付け孔に取り付け可能な脚部を有する図面収納用カバーに載置し、負荷名称保持カバーで被覆し、図面を陥没部に載置し、図面収納用カバーの脚部を取り付け孔に取り付けることである。
【発明の効果】
【０００７】
以上のように本発明に係る住宅用分電盤は、カバーには、分岐ブレーカの負荷名称を表示するための陥没部を設けると共に、陥没部の端部には取り付け孔を設け、分岐ブレーカの負荷名称を記入した負荷名称記入紙は、陥没部に設けられた取り付け孔に取り付け可能な脚部を有する図面収納用カバーに載置し、負荷名称保持カバーで被覆し、図面を嵌合部に載置し、図面収納用カバーの脚部を取り付け孔に取り付けるため、カバーを取り外さずに図面の収納及び取り出しができ、充電部接触による感電防止となる。また、図面の収納場所は、住宅用分電盤のデッドスペースであるため、ブレーカの操作に支障を来すこともなく、扉のない住宅用分電盤であっても美観を損ねることがない。図面収納用カバーは、カバーから着脱自在であるため、図面の取り出しは容易にできる。
【発明を実施するための最良の形態】
【０００８】
図面の収納及び取り出しが容易にし、美観を損ねずに図面を収納するということを実現した。
【実施例１】
【０００９】
本発明に係る実施例を図１〜図４の添付図面に基づいて説明する。
【００１０】
本発明に係る住宅用分電盤は、図１に示すように、基台１に主幹ブレーカ２と複数の分岐ブレーカ３を載置し、基台１はカバー４で被覆する。また、図２に示すように、カバー４にはブレーカ２、３の操作ハンドルを突出させるための開口５が設けられ、その開口５の近傍には陥没部６が設けられる。陥没部６の端部には取り付け孔７を穿設する。
【００１１】
図２に示すように、図面収納用カバー８には、陥没部６に設けられた取り付け孔７に対向する位置に脚部９を設け、脚部９の端部には引っ掛け部１０を形成する。負荷名称記入紙１１を図面収納用カバー８の上面に載せたあと、負荷名称保持カバー１２で被覆するが、図面収納用カバー８には、負荷名称保持カバー１２が嵌合できるように、嵌合凹部１３を、また負荷名称保持カバー１２には、嵌合凸部１４を設ける。
【００１２】
分岐ブレーカの負荷名称は負荷名称記入紙１１に記入し、負荷名称記入紙１１は、図面収納用カバー８の上面に載せ、負荷名称保持カバー１２の嵌合凸部１４を図面収納用カバー８の嵌合凹部１３に嵌合させて固定し、負荷名称を表示する。また、負荷名称記入紙１１を先に図面収納用カバー８に設置した状態でも負荷名称が記入できるように記入孔１５を設けている。
【００１３】
住宅用分電盤の配線等を示す図面１６は折りたたんで、カバー４の陥没部６に載置し、陥没部６を被覆するようにして図面収納用カバー８の引っ掛け部１０を取り付け孔７に引っ掛け、図面収納用カバー８を固定し、負荷名称の表示と図面の収納を同じ位置で行う。
【００１４】
図３は図１におけるＡ−Ａ断面図であり、図４に図３の拡大図を示す。カバー４の陥没部６に図面１６を折りたたんで載置する。そして、負荷名称記入紙１１を挟んだ図面収納用カバー８を図面１６を被覆するように嵌合凸部１４に嵌合させる。このように図面１６を収納しながら負荷名称を表示する。
【産業上の利用可能性】
【００１５】
住宅用分電盤の負荷名称を表示する部分を図面を収納可能とし、ブレーカの操作に支障を来すこともなく、扉のない住宅用分電盤であっても美観を損ねることもなく、設置が可能である。
【図面の簡単な説明】
【００１６】
【図１】本発明に係る住宅用分電盤を示す正面図である。
【図２】本発明に係る住宅用分電盤のカバー部分を示す斜視図である。
【図３】図１におけるＡ−Ａ断面図である。
【図４】図３における要部断面図である。
【図５】従来技術における住宅用分電盤を示す説明図である。
【図６】第二の従来技術における住宅用分電盤を示す断面図である。
【符号の説明】
【００１７】
１      基台
２      主幹ブレーカ
３      分岐ブレーカ
４      カバー
５      開口
６      陥没部
７      取り付け孔
８      図面収納用カバー
９      脚部
１０    引っ掛け部
１１    負荷名称記入紙
１２    負荷名称保持カバー
１３    嵌合凹部
１４    嵌合凸部
１５    記入孔
１６    図面
【図１】
2006050899.tif 000003
【図２】
2006050899.tif 000004
【図３】
2006050899.tif 000005
【図４】
2006050899.tif 000006
【図５】
2006050899.tif 000007
【図６】
2006050899.tif 000008